(57)【特許請求の範囲】
【請求項１】
搬送装置によって所定の軌道を搬送される物品に付されたバーコードを固定式のバーコードリーダで読み取るバーコード読取システムにおいて、
上記バーコードリーダを上記バーコードに対して微調整可能とする微調整手段と、
上記微調整手段により上記バーコードリーダが上記バーコードに対し光学的適正位置に設定されたことを検知し、この検知結果を視認可能な状態に配列された複数の表示部に表示する検知手段と、を有し、
一の物品に付されたバーコードを繰り返し読み取りながら、上記微調整手段を用い、上記光学的適正位置に調整する際に、
上記検知手段は、上記バーコードリーダが上記バーコードの読取に成功したときには、読取に成功するまでに要した読取回数に対応して一意に定まる何れかの表示部を瞬間点灯させることを特徴とするバーコード読取システム。
【請求項２】
上記複数の表示部は、読取に成功するまでに要した読取回数が少ない順または多い順に配置されていることを特徴とする請求項１に記載のバーコードの読取システム。
【請求項３】
所定回数の読取動作によっても読取に成功しなかった場合に瞬間点灯される表示部を有することを特徴とする請求項１または２に記載のバーコードの読取システム。
【発明の詳細な説明】
【０００１】
【発明の属する技術分野】
本発明はバーコード読取システムに係り、固定式のバーコードリーダを光学的適性位置に良好に設置するバーコード読取システムに関する。
【０００２】
【従来の技術】
物品に付されたバーコードを固定式のバーコードリーダで読み取るバーコード読取システムにあっては、バーコードリーダがレンズ及び受光素子などを用いた光学機器を備えて構成されているため、物品に付されたバーコードとバーコードリーダとが光学的適正位置に位置付けられる必要がある。
【０００３】
バーコードリーダのセッティング作業は、バーコードの付された物品との相対位置を考慮してなされ、バーコードリーダの設置位置を微調整する度にバーコードリーダをＯＮ作動して、１秒間に３０回ほどのバーコードの読取操作を実施させ、この間に少なくとも１回の読取が成功すれば、その位置にバーコードリーダを設置してセッティング作業を完了していた。
【０００４】
【発明が解決しようとする課題】
ところが、上述のようなバーコードリーダのセッティング作業では、作業者が、バーコードリーダの設置位置を微調整する度にバーコードリーダをＯＮ作動させて読取の成否を判定するカット・アンド・トライの作業であるため、バーコードリーダのセッティングに膨大な作業時間を必要とし、或いは作業時間短縮のために複数の作業員が必要となってしまう。
【０００５】
また、バーコードーリーダの１秒間における約３０回の読取操作中に少なくとも１回の読取成功があれば、その位置にバーコードリーダをセッティングするので、特に、読取操作回数の遅い時期に読取が成功した場合には、バーコードリーダのセッティング位置は、バーコードに対するバーコードリーダの光学的適正位置であるとは必ずしも言えない場合があった。これは、バーコードリーダが光学的最適位置に近い適性位置に設置されていればいるほど、バーコードリーダの受光素子の読取信号にノイズの発生が少なく、バーコードリーダの読取操作回数の早い時期に読取が成功するからである。
【０００６】
本発明の課題は、上述の事情を考慮してなされたものであり、光学的適性位置にバーコードリーダを正確且つ容易にセッティングできるバーコード読取システムを提供することにある。
【０００７】
【課題を解決するための手段】
請求項１記載の発明は、搬送装置によって所定の軌道を搬送される物品に付されたバーコードを固定式のバーコードリーダで読み取るバーコード読取システムにおいて、上記バーコードリーダを上記バーコードに対して微調整可能とする微調整手段と、上記微調整手段により上記バーコードリーダが上記バーコードに対し光学的適正位置に設定されたことを検知し、この検知結果を視認可能な状態に配列された複数の表示部に表示する検知手段と、を有し、一の物品に付されたバーコードを繰り返し読み取りながら、上記微調整手段を用い、上記光学的適正位置に調整する際に、上記検知手段は、上記バーコードリーダが上記バーコードの読取に成功したときには、読取に成功するまでに要した読取回数に対応して一意に定まる何れかの表示部を瞬間点灯させるものである。
【０００８】
請求項２記載の発明は、請求項１に記載の発明において、上記複数の表示部は、読取に成功するまでに要した読取回数が少ない順または多い順に配置されているものである。
【０００９】
請求項３記載の発明は、請求項１または２に記載の発明において、所定回数の読取動作によっても読取に成功しなかった場合に瞬間点灯される表示部を有するものである。
【００１１】
請求項１乃至３に記載の発明には次の作用がある。
【００１２】
検知手段が、バーコードリーダによるバーコードの読取操作毎に読取の成否を判定し、読取成功との判定の場合にその旨を読取操作回数に応じて表示させることから、微調整手段によりバーコードリーダをバーコードに対し微調整している間に、検知手段の表示を確認しながら、バーコードリーダによるバーコードの読取をできる限り早い回数の読取操作で実行できるようにバーコードリーダを微調整し、これにより、バーコードリーダのバーコードに対する設置位置を光学的最適位置に近い光学的適性位置に設置できる。この結果、バーコードリーダを光学的適性位置に正確且つ容易にセッティングできる。
【００１５】
【発明の実施の形態】
以下、本発明の実施の形態を図面に基づいて説明する。
【００１６】
（Ａ）第１の実施の形態
図１は、本発明に係るバーコード読取システムの第１の実施の形態を示す構成図である。バーコード読取システム１０は、図１に示すように、固定式のバーコードリーダ１１、微調整手段としての微調整機構１２、検知手段としての検知装置１３、及び図２に示す搬送装置１４を有して構成される。
【００１７】
上記搬送装置１４は、図６に示すように、表面にバーコード１５が付された物品１６を載置し、この物品１６を連続的、又は瞬時停止させて間欠的に搬送するものである。この搬送装置１４により、物品１６は、バーコード１５がバーコードリーダ１１の光学軸２４（後述）を横切るように直線上に搬送される。この第１の実施の形態では、搬送装置１４は直線上に移動するベルトコンベヤである。また、この搬送装置１４は、後述の基台３０（図１）に設置されている。
【００１８】
上記バーコードリーダ１１は、図１に示すように、ケーシング１７内に光学機器としてのレンズ１８及びミラー（図示せず）並びにＣＣＤイメージセンサなどの受光素子１９が収容して配置され、更に、図３に示すＬＥＤ（発光ダイオード）又はレーザー光源等の照明用光源２０（本実施の形態ではＬＥＤ）、図１に示す増幅器２１、信号処理回路２２及び解読器２３を備えたものである。
【００１９】
このバーコードリーダ１１においては、図３に示すように、照明用光源２０から照射光１が照射されると、この照射光１が物品１６のバーコード１５にて反射され、この反射光２がレンズ１８にて収束されて受光素子１９上に焦点が結ばれ、この受光素子１９にてバーコード１５の白黒の光の強弱が電荷に変換される。そして、この受光素子１９によるバーコード読取信号（電気信号）は、図１に示すように増幅器２１にて増幅され、信号処理回路２２にて信号処理された後、解読器２３にてバーコード１５のバーコード情報が解読される。
【００２０】
このバーコードリーダ１１では、図２及び図３に示すように、受光素子１９、レンズ１８及びバーコード１５が一直線上の光学軸２４上に配置されている。そして、搬送装置１４には、物品１６のバーコード１５がバーコードリーダ１１の光学軸２４を横切る直前に、搬送装置１４により搬送状態にある物品１６を検出してバーコードリーダ１１をＯＮ作動させるＯＮセンサ２５が配置されている。このＯＮセンサ２５は、光学的又は電気的スイッチである。
【００２１】
バーコードリーダ１１が上述のようにしてバーコード１５を高精度に読み取るためには、バーコードリーダ１１がバーコード１５に対し光学的最適位置にセッティングされている必要がある。つまり、この光学的最適位置は、▲１▼物品１６のバーコード１５がバーコードリーダ１１の光学軸２４に対し常に垂直であること、▲２▼物品１６のバーコード１５の長手方向とバーコードリーダ１１の受光素子１９の長手方向とが常に平行であること、▲３▼バーコードリーダ１１のレンズ１８と物品１６のバーコード１５との距離が所定の距離に保持されていることのそれぞれを、バーコードリーダ１１が満足する位置である。
【００２２】
このうち、バーコードリーダ１１のレンズ１８と物品１６のバーコード１５との距離の微少変化は、レンズ１８の焦点深度を深く設計すること等によって解消できる。また、実際には、バーコードリーダ１１は、バーコード１５の白黒の縞を判別できれば足りるので、上記光学的最適位置を含む光学的適性位置にセッティングされていればよい。バーコードリーダ１１を光学的適性位置にセッティングするものが、前記微調整機構１２及び検知装置１３である。
【００２３】
微調整機構１２は、図１に示すように、バーコードリーダ１１を、搬送装置１４にて搬送される物品１６のバーコード１５に対し手動で微調整可能とする装置であり、バーコードリーダ１１のケーシング１７、ケーシング支持体２６、及び保持手段としての保持具２７を備えて構成される。
【００２４】
ケーシング１７は、光学的な開口２８を有し、外表面１７Ａが球面形状に形成されるとともに、操作用のハンドル２９が着脱自在に固着されたものである。このケーシング１７内に、前述の如くレンズ１８及び受光素子１９などが収容される。
【００２５】
ケーシング支持体２６は、基台３０に固着されてケーシング１７を内部に配設し、受座３１を一体に備える。この受座３１は、内表面３１Ａが、ケーシング１７の外表面１７Ａとほぼ同一曲率の球面形状に形成される。この受座３１の内表面３１Ａがケーシング１７の外表面１７Ａに接触して、受座３１はケーシング１７を回転摺動自在に支持する。また、ケーシング支持体２６には、ケーシング１７のハンドル２９が外方へ突出するための操作用開口３２が形成されている。
【００２６】
保持部２７は、一端にパッド３３が固定されたねじ体３４の他端にグリップ３４Ａが固定されたものであり、ねじ体３４がケーシング支持体２６に螺合されている。
【００２７】
ハンドル２９を操作してケーシング１７をケーシング支持体２６の受座３１に対し回転摺動させることにより、バーコードリーダ１１の光学的位置を微調整し、その後、保持具２７のグリップ３４を回転操作してパッド３３をケーシング１７の外表面１７Ａに押圧させることにより、このケーシング１７をケーシング支持体２６に固定保持し、バーコードリーダ１１をセッティング完了させる。
【００２８】
一方、検知装置１３は、図４に示すように、微調整機構１２によりバーコードリーダ１１が物品１６のバーコード１５に対し光学的適性位置に設置されたことを検知するものである。この検知装置１３は、表示制御回路３５、第１判定器３６、第２判定器３７、第３判定器３８、第４判定器３９及び待機回路４０が順次直列に電気的に接続され、更に待機回路４０が表示制御回路３５に電気的に接続されるとともに、第１判定器３６に表示装置としての第１表示灯４１が、第２判定器３７に表示装置としての第２表示灯４２が、第３判定器３８に表示装置としての第３表示灯４３が、第４判定器３９に表示装置としての第４表示灯４４が、待機装置４０に第５表示灯４５がそれぞれ電気的に接続されたものである。
【００２９】
表示制御回路３５は、バーコードリーダ１１の解読器２３からの信号を受け取り、この信号を第１判定器３６、第２判定器３７、第３判定器３８、第４判定器３９、待機回路４０へ順次送信する。バーコードリーダ１１は、バーコード１５の読取操作毎に、受光素子１９によるバーコード１５の読取処理（光電変換、電荷の蓄積及び読出し）、増幅器２１及び信号処理回路２２による受光素子１９からのバーコード読取信号の波形処理、並びに解読器２３によるバーコード読取信号からのバーコード情報の解読処理を実施するが、これらの処理の合計時間であるバーコードリーダ１１の１回の読取操作時間は、主に受光素子１９の性能から本実施の形態では３３ミリ秒（ｍｓ）である。表示制御回路３５は、バーコードリーダ１１によるバーコード１５の読取操作毎に、バーコードリーダ１１の解読器２３からの信号を上述の如く第１判定器３６、第２判定器３７、第３判定器３８、第４判定器３９、待機回路４０へ送信する。
【００３０】
それぞれの第１判定器３６、第２判定器３７、第３判定器３８、第４判定器３９は、表示制御回路３５を介して、バーコードリーダ１１の解読器２３からバーコードリーダ１１による読取操作毎に発信された信号を取り込み、この信号から、バーコードリーダ１１がバーコード１５の読取を成功したか否か、つまり、バーコードリーダ１１の解読器２３がバーコード情報の解読を成功したか否かを、バーコードリーダ１１による読取操作毎に判定する。
【００３１】
第１判定器３６は、バーコードリーダ１１がＯＮ作動してから１回目の読取操作において解読が成功したか否かを判定し、読取成功の場合に第１表示灯４１を一瞬点灯させ、バーコードリーダ１１の２回目の読取操作においても解読が成功であると判定すれば第１表示灯４１を一瞬点灯させ、バーコードリーダ１１の３回目以降の読取操作においても解読が成功であると判定すれば第１表示灯４１を一瞬点灯させる。この状況が続くときには、表示灯４１は、読取操作回数に応じた表示として、バーコードリーダ１１の読取操作時間３３ｍｓ毎に瞬時点灯する。
【００３２】
第２判定器３７は、バーコードリーダ１１がＯＮ作動してからバーコードリーダ１１の１回目の読取操作において解読が失敗した場合に、バーコードリーダ１１の２回目の読取操作において解読が成功であるか否かを判定し、成功であれば第２表示灯４２を瞬間点灯させ、バーコードリーダ１１の３回目の読取操作の解読が失敗で４回目の読取操作の解読が成功であると判定すれば第２表示灯４２を瞬間点灯させる。以下、６回目、８回目の如く１回おきの読取操作で解読が成功であると第２判定器３７が判定した場合に第２表示灯４２が瞬間点灯し、結果として、この第２表示灯４２は、読取操作回数に応じた表示として６６ｍｓに１回点灯する。
【００３３】
第３判定器３８は、バーコードリーダ１１がＯＮ作動してからバーコードリーダ１１の１回目及び２回目の読取操作において解読が失敗した場合に、バーコードリーダ１１の３回目の読取操作において解読が成功であるか否かを判定し、成功であれば第３表示灯４３を瞬間点灯させ、次の４回目及び５回目の読取操作が失敗で６回目の読取操作の解読が成功であると判定した場合に第３表示灯４３を瞬間点灯させる。以下、９回目、１２回目の如く２回おきの読取操作で解読が成功であると第３判定器３８が判定した場合に、第３表示灯４３が瞬間点灯し、結果として、この第３表示灯４３は、読取操作回数に応じた表示として９９ｍｓに１回点灯する。
【００３４】
第４表示灯３９は、バーコードリーダ１１がＯＮ作動してからバーコードリーダ１１の１回目、２回目及び３回目の読取操作において解読が失敗した場合に、バーコードリーダ１１の４回目の読取操作において解読が成功であるか否かを判定し、成功であれば第４表示灯４４を瞬間点灯させ、次の５回目、６回目及び７回目の読取操作が失敗で８回目の読取操作の解読が成功であると判定した場合に第４表示灯４４を瞬間点灯させる。以下、１２回目、１６回目の如く３回おきの読取操作で解読が成功であると判定した場合に第４表示灯４４が瞬間点灯し、結果として、この第４表示灯４４は、読取操作回数に応じた表示として１３２ｍｓに１回点灯する。
【００３５】
待機回路４０は、バーコードリーダ１１がＯＮ作動してからバーコードリーダ１１の１回目、２回目、３回目及び４回目の読取操作において解読が失敗であると第１判定器３６、第２判定器３７、第３判定器３８、第４判定器３９がそれぞれ判定した場合に、検知装置１３の検知作業を一時停止させ、バーコードリーダ１１がＯＮ作動してから所定時間経過後に第５表示灯４５を瞬間点灯させると同時に、表示制御回路３５へ再開信号を出力し、検出装置１３の検知作業を再開する。上記所定時間は、本実施の形態では０．６秒（ｓ）としてもよいが、１３２ｍｓより長く１〜２ｓよりも短い時間に設定される。
【００３６】
ここで、第１表示灯４１、第２表示灯４２、第３表示灯４３、第４表示灯４４の瞬間的点灯とバーコードリーダ１１のセッティング位置との関係を述べる。バーコードリーダ１１が光学的最適位置に近い光学的適正位置に設置されているほど、バーコードリーダ１１の読取信号にノイズの発生が少なく、バーコードリーダ１１の読取操作回数の早い時期に読取（解読）が成功するので、第１表示灯４１が点灯した場合にバーコードリーダ１１は光学的最適位置に設置されており、第２表示灯４２が点灯した場合にバーコードリーダ１１は光学的最適位置から若干離れた光学的適性位置に設置されており、第３表示灯４３が点灯した場合にバーコードリーダ１１は光学的最適位置から更に離れた光学的適性位置に設置されており、第４表示灯４４が点灯した場合にバーコードリーダ１１は光学的最適位置から最も離れた光学的適性位置に設置されていることになる。
【００３７】
次に、上述のバーコード読取システム１０によるバーコードリーダ１１のセッティング作業を説明する。
【００３８】
図１に示す微調整機構１２の保持具２７を緩め、バーコードリーダ１１をＯＮ作動させながら、ハンドル２９を用いてケーシング支持体２６に対するケーシング１７の位置、つまりバーコード１５に対するバーコードリーダ１１の位置を微調整する。この間には検知装置１３が作動しており、バーコード１５に対するバーコードリーダ１１の設置位置が光学的最適位置に調整されれば、検知装置１３の第１表示灯４１（図４）が３３ｍｓに１回瞬間点灯し、バーコードリーダ１１が光学的最適位置から離れるに従い第２表示灯４２が６６ｍｓに１回瞬間点灯し、第３表示灯４３が９９ｍｓに１回瞬間点灯し、第４表示灯４４が１３２ｍｓに１回瞬間点灯し、光学的適正位置を離れると第１表示灯４１、第２表示灯４２、第３表示灯４３及び第４表示灯４４が点灯せず、第５表示灯４５が０．６ｓの周期で点灯する。
【００３９】
このように、バーコード１５に対するバーコードリーダ１１の位置の優劣が第１表示灯４１、第２表示灯４２、第３表示灯４３、第４表示灯４４の点滅間隔に置き換わり、作業者は、第４表示灯４４の点灯位置よりも第３表示灯４３の点灯位置に、第３表示灯４３の点灯位置よりも第２表示灯４２の点灯位置に、第２表示灯４２の点灯位置よりも第１表示灯４１の点灯位置にバーコードリーダ１１を微調整し、保持具２７を締め付けてケーシング１７をケーシング支持体２６に固定し、バーコードリーダ１１のセッティングを完了する。実際には、第４表示灯４４、第３表示灯４３、第２表示灯４２又は第１表示灯４１のいずれか１つが点灯したときに、バーコードリーダ１１がバーコード１５に対し光学的適性位置にあるとして、この位置にバーコードリーダ１１をセッティングする。
【００４０】
従って、上記実施の形態によれば、次の効果▲１▼及び▲２▼を奏する。
【００４１】
▲１▼検知装置１３の第１判定器３６、第２判定器３７、第３判定器３８、第４判定器３９が、バーコードリーダ１１によるバーコード１５の読取操作毎に読取の成否を判定し、第１判定器３６による読取失敗との判定の場合に第２判定器３７が次回の読取の成否を判定し、第２判定器３７による読取失敗との判定の場合に第３判定器３８が次回の読取の成否を判定し、第３判定器３８による読取失敗との判定の場合に第４判定器３９が次回の読取の成否を判定し、読取成功との判定の場合に、第１判定器３６が第１表示灯４１を３３ｍｓに１回瞬間点灯させ、第２判定器３７が第２表示灯４２を６６ｍｓに１回瞬間点灯させ、第３判定器３８が第３表示灯４３を９９ｍｓに１回瞬間点灯させ、第４判定器３９が第４表示灯４４を１３２ｍｓに１回瞬間点灯させて、バーコードリーダ１１の光学的適性位置への設置を検知することから、微調整機構１２によりバーコードリーダ１１をバーコード１５に対し微調整している間に、検知装置１３の第１表示灯４１、第２表示灯４２、第３表示灯４３、第４表示灯４４および第５表示灯４５の点滅状態を確認しながら、バーコードリーダ１１によるバーコード１５の読取を、できる限り早い回数の読取操作で実行できるようにバーコードリーダ１１の設置位置を微調整し、これにより、バーコードリーダ１１のバーコード１５の設置位置を光学的最適位置に近い光学的適性位置に設定できる。この結果、バーコードリーダ１１のセッティングを作業者が一人で実施できるので、セッティング作業が容易となり、また、バーコードリーダ１１をバーコード１５に対する光学的適性位置に正確にセッティングできる。
【００４２】
例えば、従来技術の如く、１秒間に１回でも表示灯が点灯してバーコードの読取が実施された位置にバーコードリーダをセッティングした場合には、１秒間に最大（１０００／３３）−１＝２９回の読取ミスを許容していることになる。これに対し、本実施の形態では、第４表示灯４４が点灯した位置にバーコードリーダ１１をセッティングしたとしても、バーコード１５の読取ミスは１秒間に、３×１／０．６＝５回であり、従来技術に比べ約６倍弱のレベルでバーコードリーダ１１を光学的適正位置に正確にセッティングさせることができる。
【００４３】
▲２▼また、バーコードリーダ１１のケーシング１７がケーシング支持体２６に、ケーシング１７の外表面１７Ａとケーシング支持体２６の受座３１の内表面３１Ａとの球面を用いて回転摺動自在に支持されたことから、バーコードリーダ１１とバーコード１５との距離を変更させずに、バーコードリーダ１１を上下左右任意の方向に移動させることができ、従って、バーコードリーダ１１の微調整を極めて容易に実行できる。
【００４４】
（Ｂ）第２の実施の形態
図５は、本発明に係るバーコード読取装置の第２の実施の形態を示す概略平面図である。この第２の実施の形態において、前記第１の実施の形態と同様な部分は、同一の符号を付すことにより説明を省略する。
【００４５】
この第２の実施の形態のバーコード読取システム５０は、搬送装置５１が回転円盤５２に、バーコード１５が付された物品１６を載置して、物品１６を連続的又は間欠的に回転搬送させ、この間に物品１６のバーコード１５がバーコードリーダ１１の光学軸２４を横切るようになっている。更に、このバーコード読取システム５０では、バーコードリーダ１１と搬送装置５１との間に遮蔽部材５３が配置される。この遮蔽部材５３は、バーコードリーダ１１の光学軸２４の両側に設置されて、物品１６のバーコード１５がバーコードリーダ１１の光学軸２４以外の場所でバーコードリーダ１１に読み取られることがないようにしたものである。
【００４６】
このバーコード読取システム５０においても、その他の点において前記第１の実施の形態のバーコード読取システム１０と同様に構成されているので、このバーコード読取システム５０と同様な効果を奏する
以上、本発明を上記実施の形態により説明したが、本発明はこれに限るものではない。例えば、第１表示灯４１、第２表示灯４２、第３表示灯４３及び第４表示灯４４を単一の表示灯とし、この単一の表示灯に第１判定器３６、第２判定器３７、第３判定器３８、第４判定器３９を電気的に接続させ、第１判定器３６におけるバーコードリーダ１１の読取成功との判定の際に上記表示灯を短い点灯間隔で４回点滅させ、第２判定器３７におけるバーコードリーダリーダ１１の読取成功との判定の際に上記表示灯を短い点灯間隔で３回点滅させ、第３判定器３８におけるバーコードリーダ１１の読取成功との判定の際に上記表示灯を短い点灯間隔で２回点滅させ、第４判定器３９におけるバーコードリーダ１１の読取成功との判定の際に上記表示灯を短い点灯間隔で１回点滅させるようにしてもよい。また、上述の単一の表示灯の点滅回数を液晶表示装置などの表示装置に数値表示させてもよい。
【００４７】
更に、上述の単一の表示灯の点滅回数を音響パルスの回数で表示してもよい。また、この音響パルスの回数の代わりに、例えば回数の多い場合ほど音響の周波数を高く設定するなどして、音響の周波数を変更させてもよい。このような音響による表示装置の場合には、作業者の視覚を微調整機構１２によるバーコードリーダ１１の微調整作業に集中させることができる利点がある。
【００４８】
また、バーコードリーダ１１のバーコード１５に対する微調整は、微調整機構１２による場合に限らず、バーコードリーダの非球面形状の外表面を備えたケーシングをＸＹテーブルに搭載し、このＸＹテーブルによって微調整してもよく、或いは、バーコードリーダの非球面形状の外表面を備えたケーシングをねじ機構などによって微調整してもよい。
【００４９】
更に、本実施の形態では、バーコードリーダ１１の受光素子１９の読取処理速度が３３ｍｓのものを述べたが、それ以外のもの、例えば１０〜５０ｍｓであってもよい。
【００５０】
【発明の効果】
以上のように、本発明に係るバーコード読取システムによれば、バーコードリーダをバーコードに対し微調整する微調整手段と、微調整手段によりバーコードリーダがバーコードに対し光学的適性位置に設置されたことを検知する検知手段とを有し、上記検知手段が、バーコードリーダによるバーコードの読取操作毎に読取の成否を判定し、読取成功の場合に読取操作回数に応じた表示を表示させることから、バーコードリーダを光学的適性位置に正確かつ容易にセッティングすることができる。
【図面の簡単な説明】
【図１】本発明に係るバーコード読取システムの第１の実施の形態を示す構成図である。
【図２】図１のバーコードリーダによるバーコードの読取作業状況を示す概略平面図である。
【図３】図１のバーコードリーダによるバーコードの読取作業状況を示す概略側面図である。
【図４】図１の検知装置を示すブロック図である。
【図５】本発明に係るバーコード読取システムの第２の実施の形態を示す概略平面図である。
【図６】バーコードの付された物品を示す斜視図である。
【符号の説明】
１０  バーコード読取システム
１１  バーコードリーダ
１２  微調整機構（微調整手段）
１３  検知装置（検知手段）
１５  バーコード
１６  物品
１７  ケーシング
１７Ａ  外表面
１９  受光素子
２６  ケーシング支持体
２７  保持具（保持手段）
３１Ａ  内表面
３６  第１判定器
３７  第２判定器
３８  第３判定器
３９  第４判定器
４１  第１表示灯
４２  第２表示灯
４３  第３表示灯
４４  第４表示灯
【図１】
0004240564.tif 000002
【図２】
0004240564.tif 000003
【図３】
0004240564.tif 000004
【図４】
0004240564.tif 000005
【図５】
0004240564.tif 000006
【図６】
0004240564.tif 000007